(57)【要約】【課題】マットの保管と設置を容易に行うことができ、地面被覆材の補強する又は、地面又は傾斜面を保護することができ、さらに、層の厚さを減らす又は、層の寿命を増加させることのできる格子マットを創造する【解決手段】マット（１０）の格子の骨組みを、平坦な断面を有する複数の屈曲した帯状要素（１、１’；１”；２１；３１）によって形成し、該帯状要素を、マット（１０）の長手延在方向を横切るように該帯状要素のより長い横断面側に一直線上に配置し、各要素（１、１’；１”；２１、２１’；３１、３１’）に、互いに間隔（ｄ）を置いて配置され軸（２）を受け入れる少なくとも２つの開口（３、４；２３、２４；３３、３４）を備え、それぞれ、マット（１０）の縦軸（Ｌ）の方向で隣接する少なくとも２つの要素（１、１’；１”２１；３１）を、軸（２）を介して、相互に柔軟に結合した。【選択図】図４
2008537575.tif 000002
【特許請求の範囲】
【請求項１】
土壌保持又は、地面被覆材を保護する目的で特に使用される格子マットにおいて、
前記マット（１０）の格子の骨組みが、平坦な断面を有する複数の屈曲した帯状要素（１、１’；１”；２１；３１）によって形成され、
該帯状要素が、マット（１０）の長手延在方向を横切るように該帯状要素のより長い横断面側に一直線上に配置され、
各要素（１、１’；１”；２１、２１’；３１、３１’）が、互いに間隔（ｄ）を置いて配置された少なくとも２つの開口（３、４；２３、２４；３３、３４）を有し、
前記開口が、それぞれ、軸（２）を受け入れるように設けられ、
前記マット（１０）の縦軸（Ｌ）の方向で隣接する少なくとも２つの要素（１、１’；１”２１；３１）は、前記軸（２）を介して、相互に柔軟に結合されたことを特徴とする格子マット。
【請求項２】
前記要素（１、１’、１”；２１；３１）が、屈曲された金属帯又は平線で形成され、これらが、鋼製、好ましくは、高張力鋼又は、他の金属で形成されることを特徴とする請求項１に記載の格子マット。
【請求項３】
前記要素（１、１’；１”）が、長手方向に延在して、複数箇所で屈曲され、
２つの隣接する要素（１、１’；１”）が、前記要素の長手方向（Ａ）に走り２つの要素（１、１’）を貫通する少なくとも１つの軸（２）を用いて、各場合において、相互に柔軟に結合されることを特徴とする請求項１又は２に記載の格子マット。
【請求項４】
２つの隣接する要素（１、１’）が、該要素（１、１’）の全長に亘って延在する軸（２）によって、相互に結合されることを特徴とする請求項３に記載の格子マット。
【請求項５】
前記屈曲した要素（１、１’；１”）は、略Ｕ字形状、台形状、稲妻形状又は、湾曲形状であり、
２つの要素（１、１’）によって、境界が各場合で画定される格子隙間（５、６）が、形成されることを特徴とする請求項３又は４に記載の格子マット。
【請求項６】
屈曲した要素（２１；３１）が、各々の軸（２）に対して回転可能に保持され、
前記軸によって、列をなして配置され相互に連結された単位部分（２１’；２１”、３１’、３１”）から成ることを特徴とする請求項１又は２に記載の格子マット。
【請求項７】
前記要素（２１）の各々の単位部分（２１’；２１”、３１’、３１”）が、各軸（２）用の開口部（２３、２４）を備えた２つの平行な連結片（２１ａ、２１ｂ）と、連結片（２１ａ、２１ｂ）に連結し該連結片と角をなす中間片（２１ｃ）と、から成り、
前記中間片（２１ｃ）が、列を成して配列された前記単位部分から離れる方向に、互いに反対側に角度付けられて屈曲され、軸用の開口部（２３）が設けられた連結片（２１ａ）及び、軸用の開口部（２４）が設けられた連結片（２１ｂ）と、交互に結合、好ましくは、溶接されることを特徴とする請求項６に記載の格子マット。
【請求項８】
菱形タイプの生成本体が、１つの列に並んで配置された２つの各々の単位部分（３１’、３１”）によって形成され、
該菱形タイプの生成本体が、２つの対向角部（３６、３７）において、同じ列の隣接する生成本体と連結され、
前記２つの単位部分が、各々の軸（２）のために各場合で設けられた開口（３３、３４）を備えた連結片（３１ａ、３１ｂ）を介して、互いに連結されることを特徴とする請求項６に記載の格子マット。
【請求項９】
前記連結片（２１ａ、２１ｂ）が、それぞれ、フォーク状溝（２５、３５）を形成し、
前記マット（１０）の縦軸（Ｌ）の方向で隣接する前記要素（２１、３１）の前記連結片（２３、３４）が、軸（２）が挿入される前に、前記フォーク状溝（２５、３５）に挿入可能であることを特徴とする請求項７又は８に記載の格子マット。
【請求項１０】
前記マットの厚さが、前記要素（１、１’、１”；２１；３１）の長手断面側（ｂ）と略一致することを特徴とする請求項１〜９の何れか１項に記載の格子マット。
【請求項１１】
アスファルトで舗装された地面被覆材の内部補強を行うための請求項１から１０に記載の格子マットの使用。
【請求項１２】
粒状の非結合層の保護、又は、防波堤防又は土砂堤防を保護するための請求項１から１０に記載の格子マットの使用。
【請求項１３】
交通に使用される土地又は緑地を保護するための請求項１から１０に記載の格子マットの使用。
【請求項１４】
傾斜地を保護するための請求項１から１０に記載の格子マットの使用。
【発明の詳細な説明】
【技術分野】
【０００１】
本発明は、格子マットに関し、特に、土壌保持又は、地面被覆材を保護する格子マット及び、本発明の請求項１〜１０に記載されたマットの使用に関する。
【背景技術】
【０００２】
平線格子形状のこの種のマットは、相互に溶接された金属線で形成されるか、亀甲金網に織り込まれ形成され、従来より知られている。例えば、それらは、アスファルトで舗装された地面被覆材を補強する目的で使用される。このようなマットは、アスファルトが適用される前に地面に広げられる際に、その広げられる現場にロール状又はパネル状にして搬送される。アスファルトの層が、一度、乾燥して硬化すると、金属線の結合力が向上する。
【発明の開示】
【発明が解決しようとする課題】
【０００３】
この格子線は、それらが保管や移送されている間に巻き上げられていることによって変形し、それを敷いて実際に設置することがより難しくなるという１つの欠点がある。さらに、それらの構造が原因となって、結合位置でより大きな変形が生じるという欠点がある。
【０００４】
溶接による格子の場合、それらを巻き上げることはできず、その上、重量が大きいので、それらを小さい領域にしか形成することができないという欠点があった。これらの格子の略２次元構造によって、それら格子と周辺材料との間の楔止め及び結合が極めて制限される。
【０００５】
本発明は、マットの保管と設置を容易に行うことができ、地面被覆材の補強する又は、地面又は傾斜面を保護することができ、さらに、層の厚さを減らす又は、層の寿命を増加させることのできる初めに記載した種類の格子マットを創造する問題に基づいている。
【課題を解決するための手段】
【０００６】
この問題は、本発明にしたがって、請求項１の特徴を有する格子マットによって解決される。
【０００７】
本発明の格子マット及びその使用のさらに好ましい実施の形態が、従属項の対象を形成する。
【０００８】
本発明の格子マットは、製造において簡易で経済的である。それは、種々の広い目的で使用される。その使用は、アスファルトで舗装された地面の補強（装甲）において特に、有利である。そのマットは、多数の帯状要素を有しており、複数箇所で屈曲され、長手方向に延在して、マットの格子骨組みを形成する。格子隙間の深さは、横断面で見て、より長い要素の側面に対応し、例えば、１０から１５ｍｍである。
【０００９】
本発明のマットに適用されるアスファルトの層は、乾燥及び硬化の後に、通常の格子網が使用される場合よりもはるかに良好に密着する。
【００１０】
これにより、本発明の強化されたアスファルトの層が、応力及び天候（寒気、高温等）に対してより良好な耐性を有する、すなわち、地面被覆材のひびや変形の要因となる多額のメンテナンス費用を特に大きく抑えることができる。更に、アスファルト舗装が行われる前又は、行われている途中に、車両が本発明のマット上を走行しても、アスファルトが損傷する又は、ずれてしまうことがない。
【００１１】
本発明のマットのさらなる利点は、そのマットが、巻き上げられることによって、変形又はそれ自体で絡まり、後に広げることが難しくなるという危険要素を有することなく、容易にロール状に巻き上げる、或いは、容易にコンサーティーナ（concertina）のように折り曲げることができるということである。
【発明を実施するための最良の形態】
【００１２】
本発明を、図面を参照してより詳細に説明する。
【００１３】
図１及び図２は、要素１を示しており、この要素１は、軸Ａに沿って延在し、図４に示される格子マット１０のために均等に数箇所で屈曲されている。そして、要素１は、好ましくは、扁平断面を有する金属帯（metal strip）を屈曲したものである。長手断面側は、例えば、１０から１５ｍｍとすることが可能な長さｂを有している。帯の厚さは、図２でｅ（例えば、１ｍｍ）と指定されている。要素１は、例えば、公称張力が１０００から２２００Ｎ／ｍｍ２の高張力鋼によって構成される。示された本実施の形態における要素１の個々の屈曲体は、略Ｕ字形状であり、突部（図２に対応した間隔）に相当する２つの脚部１ｂ、１ｃを結合する側部１ａは、突部の開放端における脚部１ｂ、１ｃの間の間隔ａ１より若干小さい。
【００１４】
脚部１ｂ、１ｃの長さは、図２でｈと指定されている。相互に若干小さい距離ｄをおいて位置している。連結ピン又は連結軸２用の開口３、４は、それぞれの脚部１ｂ、１ｃに形成されている。なお、連結軸２は、鋼棒の形態であることが好ましい。図３から理解されるように、軸２が、一方の要素１の開放端により近い開口４及び、連結側面１ａにより近くに位置する他方の要素１’の開口３を通して挿通されることによって、複数箇所で屈曲された２つの要素１、１’を、相互に連結しても良い。多数の格子隙間５、６は、２つの要素１、１’により及び／又は、それらの連結しているＵ字形屈曲体（略矩形状でもよい）により囲まれることによって、作られる。また、それら格子隙間５、６の深さが側方長さｂによって規定される。格子隙間の領域は、例えば、８０×１２０ｍｍでよい。
【００１５】
図３に従う要素１、１’に類似して、図４によれば、格子の骨組みを形成するために、さらなる要素１”が、取り付けられている。この場合、２つの隣接した要素Ｖを連結するためのさらなる軸２’が、対応する開口３、４に挿通されている。
【００１６】
本発明の格子マット１０は、巻き上げること及び、長手軸Ｌ（図４参照）において再び広げることを容易に行うことができる。この場合、要素１、１’、１”は、対応する軸２、２’を中心に回転する。ここでは、溶接された金属線で作られた通常の金属線格子と異なり、マットが巻き上げによって変形し、後に広げることが困難になる可能性があるという危険要素がない。
【００１７】
上述のように構成された本発明の格子マット１０は、多様な目的に使用することができる。地面被覆材が垂直方向に連続し広げられた格子マット１０の格子隙間５、６が、アスファルトで満たされる場合に、アスファルト舗装された地面被覆材を補強するために使用されることが特に有効である。格子隙間５、６の深さは、帯の幅と対応する。すなわち、例えば、１０から１２ｍｍである。このマット１０は、コンクリートにおける装甲（armouring）又は補強としての他の使用がなされるであろう。
【００１８】
実質的に２次元（線が互いに交差する部分を除いて、その厚さ線１本分にのみ相当する）でしかない通常の使用される金属線格子と比較して、本発明のマット１０に付けられるアスファルト層は、マット１０の３次元構造により、乾燥及び硬化の後により良好にしっかりと密着する。これによって、本発明によれば固められたアスファルト層が、メンテナンス費用の増大を招くひびや変形の原因となる応力及び天候（寒気、高温等）に対してより良好な耐性を備えることが可能である。
【００１９】
更なる利点は、本発明のマット１０が、特に高張力鋼により構成されている場合に、アスファルト舗装される前、或いは、舗装されている間に、その上を車両が走行しても、アスファルトの損傷やずれが発生しないということである。また、サイズ又は性質が異なる数枚のマットを、相互に連結する又は、重なり合わせることは、容易に可能であろう。
【００２０】
本発明のマット１０は、草原地帯等の走行可能な陸地や緑地を保護することにも好適であり、地勢（terrain）が柔らかい（soft）ときであっても、そのマット１０上を、車輪の轍を作ることなく走行できる。
【００２１】
粒状の非結合（unbound）層、例えば、砂利又は石の層は、本発明のマット１０によって有利に固めることができる。これらは、土砂堤防又は防波堤防でもよく、数枚のマット１０が他のマットの上に層状に重ねられることが好ましい。
【００２２】
最後に、傾斜地又は傾斜面が、本発明のマット１０を用いて保護されてもよく、植物の層が、マット１０（侵食防止）に固定されてもよい。これは、軸２についての上記単位部分の回転が、地形への少なくとも一部の適合を考慮すると有利であるからである。直面する（fencing）目的のためにマット１０を使用することが可能であろう。
【００２３】
図５及び図６に示されるように、要素１の個々の屈曲体は、格子の骨組みを形成し、従って、更に、隣接要素によって囲まれた格子隙間が、図１から４に示されたものと完全に異なる。突部は、例えば、端状（pointed）、曲線状又は、台形状である。
【００２４】
単一の連続軸又は鋼棒２の代わりに、数本の軸又は突起を、隣接要素１の回転可能な連結のために使用することが明らかに可能である。この場合、連続鋼棒の使用が、特に簡易で、マット１０をより強固にすることに貢献し、従って、地面又は地面被覆材をより良好に保護することにも貢献する。
【００２５】
図７に従うと、原理上は、２つ以上の要素１、７が、連結するように配置されてもよい。そして、それに対応する方法において、４つの要素が１つの軸２によって結合保持される。これによって、特に、マットが重層として使用される場合に、その強度がさらに増加する。
【００２６】
上述のように、長手方向に延在する要素１（複数回屈曲された）の位置で、例えば、図８ａ、８ｂ、８ｃ、又は、９ａ、９ｂ、９ｃに従い、格子形状を形成する要素２１及び／又は３１を使用することが可能であろう。加えて、ここでは、これらは、屈曲された帯状要素であり、軸２で回転可能に保持され、マットの長手延在方向を横切るように又は、該方向に垂直となるように、より長い横断面側（longer cross section）に沿って順々に整列されている。それら要素は、金属、例えば、高張力鋼によって等しく有利に構成されている。それらは、それぞれ、相互に距離ｄをおいて配置されている２つの開口２３、２４又は３３、３４を有している。そして、これら開口は、それぞれ軸２を受け入れるために設けられている。図８ｃ及び９ｃによると、そのような大量の要素２１又は３１が、軸２に割り当てられる。
【００２７】
図８ａ、８ｂ及び８ｃに示された変形例において、湾曲要素２１は、各々の軸２に回転可能に保持されており、これらの要素２１は、隣接して相互に接続された状態で配置された単位部分２１’、２１”から構成されている。
【００２８】
単位部分２１’、２１”は、軸２のための開口２３、２４がもうけられた２つの平行な連結片２１ａ、２１ｂと、更に、連結片２１ａ、２１ｂを連結し、その間で所定の角度をなす中間片２１ｃから形成されている。隣接して配置された要素２１の中間片２１ｃは、互いに反対方向に角度を付けて曲げられている。一方の軸のための開口２３が設けられた連結片２１ａ及び、隣接して配置された単位部分２１’、２１”の他方の軸のための開口２４が設けられた連結片２１ｂは、好ましくは、互いに交互に溶接される。
【００２９】
軸２を受け入れる開口２３が設けられフォーク状の溝２５を備えた単位部分２１’、２１”が、結集された場合、マット１０の縦軸Ｌ方向に隣接する要素の連結片２４は、軸２の挿入の前に挿入される。
【００３０】
図９ａは、２つの平行な連結片３１ａ、３１ｂと中間片３１ｃから成る要素３１の２つの単位部分３１’、３１”を示している。２つの平行な連結片３１ａ、３１ｂは、各軸２のためにそれぞれ距離ｄをおいて配置されている開口３３、３４を有している。中間片３１ｃは、連結片３１ａ、３１ｂに接続され、所定の角度をなしている。付加角（additional angle）を備えた中間片３１ｃは、反対方向に角度を付けて曲げられている。
【００３１】
図９ｂに従うと、一方の軸のための開口３３を備えた連結片３１ａ及び、隣接して配置された単位部分３１’、３１”の他方の軸のための開口３４を備えた連結片３１ｂは、相互に溶接されることが好ましい。相互に溶接された後、これらは、ひし形タイプの構造となることが特徴である。一体に溶接された単位部分３１’、３１”は、並んで一列に配置され、同列で隣接した構造の２つの対抗角部３６、３７で連結される。ひし形タイプの構造を作る２つの単位部分３１’、３１”は、連結片３１ａで、それぞれフォーク状の溝３５を形成し、軸２が挿入される前に、マット１０の縦軸Ｌ方向に隣接する要素３１の連結片３４がこのフォーク状の溝３５に挿入されても良い。
【００３２】
図９ｃは、軸２により一体に回転可能となるように保持された単位部分３１’、３１”からなる複数の要素３１で形成されたマットの一部を示す。
【００３３】
図８ｃ及び図９ｃに示されるこれらのマットは、それらの長手方向の延在に対して縦軸及び横軸の両方における力を最適に吸収する。
【図面の簡単な説明】
【００３４】
【図１】本発明の格子マット用の稲妻形状要素及び、そのような２つの要素を連結するための要素の具体例。
【図２】拡大した図１の稲妻形状要素の一部。
【図３】連結状態における図１に示される格子マット。
【図４】図１から３による要素を使用して組み立てられた格子マット。
【図５】本発明の格子マットの具体例
【図６】本発明の格子マットの具体例
【図７】本発明による稲妻形状要素の変形例の部分平面図
【図８】稲妻形状要素のさらなる変形例の斜視図である。
【図９】格子の骨組みを形成する帯状要素の具体例の斜視図である。
【符号の説明】
【００３５】
１      要素
２      軸
３      開口
４      開口
５      格子隙間
６      格子隙間
１０    マット
２１    単位部分
２３    開口
２４    開口
２５    溝
３１    単位部分
３３    開口
３４    開口
３５    溝
３６    対向角部
３７    対向角部
【図１】
2008537575.tif 000003
【図２】
2008537575.tif 000004
【図３】
2008537575.tif 000005
【図４】
2008537575.tif 000006
【図５】
2008537575.tif 000007
【図６】
2008537575.tif 000008
【図７】
2008537575.tif 000009
【図８ａ】
2008537575.tif 000010
【図８ｂ】
2008537575.tif 000011
【図８ｃ】
2008537575.tif 000012
【図９ａ】
2008537575.tif 000013
【図９ｂ】
2008537575.tif 000014
【図９ｃ】
2008537575.tif 000015
【国際調査報告】
2008537575.tif 000016
2008537575.tif 000017
2008537575.tif 000018
2008537575.tif 000019